(57)【要約】  自己巻付保護テキスタイルスリーブおよびその構築方法が提供される。スリーブは、対向する自由縁部が両端間を長さ方向に延びる、編組された管状壁を含む。壁は、中心長手方向軸をほぼ横断する断面で見て、減少した長さで増加した断面積の第１の状態と、増加した長さで減少した断面積の第２の状態とを有する。壁は、さらに、壁に付勢を付与する編組されたヒートセットヤーンを含み、付勢は、壁を管状構成に自己巻付けさせ、外部からかけられる力がない場合に実質的に第１および第２の状態にとどめさせる。
2018536101.tif 000002
【特許請求の範囲】
【請求項１】
自己巻付保護テキスタイルスリーブであって、
対向する自由縁部が両端間を長さ方向に延びる、編組された管状壁を備え、
前記壁は、前記両端間を延びる中心長手方向軸をほぼ横断する断面で見て、減少した長さで増加した断面積の第１の状態と、前記中心長手方向軸をほぼ横断する断面で見て、増加した長さで減少した断面積の第２の状態とを有し、前記壁は、さらに、前記壁に付勢を付与する編組されたヒートセットヤーンを含み、前記付勢は、外部からかけられる力がない場合に前記壁を実質的に前記第１および第２の状態にとどめさせ、前記対向する自由縁部を互いに重ね合わされた関係にする、自己巻付保護テキスタイルスリーブ。
【請求項２】
前記ヒートセットヤーンの少なくともいくつかは束状で編組され、前記束は互いに撚り合わされた複数のヤーンを含む、請求項１に記載の自己巻付保護スリーブ。
【請求項３】
少なくともいくつかの前記束は、別の束のループと相互連結されたループを有する、請求項２に記載の自己巻付保護スリーブ。
【請求項４】
前記束の少なくともいくつかは全体的に前記ヒートセットヤーンで形成されている、請求項３に記載の自己巻付保護スリーブ。
【請求項５】
前記壁は非ヒートセット可能なヤーンを含む、請求項３に記載の自己巻付保護スリーブ。
【請求項６】
前記非ヒートセット可能なヤーンの少なくともいくつかは前記ループの少なくともいくつかを通って延びる、請求項５に記載の自己巻付保護スリーブ。
【請求項７】
前記非ヒートセット可能なヤーンの少なくともいくつかは、前記束の対間を共螺旋状に延びる、請求項６に記載の自己巻付保護スリーブ。
【請求項８】
前記束の少なくともいくつかは、非ヒートセット可能なヤーンを含む、請求項３に記載の自己巻付保護スリーブ。
【請求項９】
前記壁は非ヒートセット可能なヤーンを含む、請求項１に記載の自己巻付保護スリーブ。
【請求項１０】
前記束は、ＳまたはＺの螺旋方向の一方にのみ延びている、請求項２に記載の自己巻付保護スリーブ。
【請求項１１】
前記束は、ＳおよびＺの反対の螺旋方向に延びている、請求項２に記載の自己巻付保護スリーブ。
【請求項１２】
前記壁は非円形の外周部を有する、請求項１に記載の自己巻付保護スリーブ。
【請求項１３】
自己巻付テキスタイルスリーブを構築する方法であって、
複数のヤーンを互いに編組して、両端間を中心長手方向軸に沿って長さ方向に延びる壁を形成することを備え、前記ヤーンの少なくともいくつかは、ヒートセット可能なヤーンとして提供され、前記壁は、減少した長さで増加した断面積の第１の状態と、増加した長さで減少した断面積の第２の状態との間で移動可能であり、前記方法はさらに、
前記壁を、対向する自由縁部が前記両端間を長さ方向に延びる状態で形成することと、
前記対向する自由縁部を互いに向かって巻付け、前記壁が前記第１の状態および第２の状態のうちの一方にある状態で前記ヒートセット可能なヤーンをヒートセットして、前記壁に付勢を付与するヒートセットされたヤーンを形成することとを備え、前記付勢は、前記壁を前記中心長手方向軸の周りに自己巻付けさせて管状構成にし、前記壁を、実質的に前記第１および第２の状態の各々に、前記第１または第２の状態の他方に移動させる外部からかけられる軸方向の力がない場合において、とどめさせる、自己巻付テキスタイルスリーブを構築する方法。
【請求項１４】
前記壁をレース編組機で編組することをさらに備える、請求項１３に記載の方法。
【請求項１５】
前記壁を継ぎ目のない周方向に連続する壁として編組し、次いで前記壁を長さ方向に切断して前記対向する自由縁部を形成することをさらに備える、請求項１３に記載の方法。
【請求項１６】
前記切断を行う前に前記ヒートセットすることを実施することをさらに備える、請求項１５に記載の方法。
【請求項１７】
前記切断を行った後に前記ヒートセットすることを実施することをさらに備える、請求項１５に記載の方法。
【請求項１８】
前記壁を、前記対向する自由縁部を有する実質的に平坦な層として編組することをさらに備える、請求項１３に記載の方法。
【請求項１９】
前記壁をマンドレルの周りに巻付け、次いで前記ヒートセットすることを行うことをさらに備える、請求項１８に記載の方法。
【請求項２０】
非ヒートセット可能なヤーンを含む前記壁を形成することをさらに備える、請求項１３に記載の方法。
【請求項２１】
互いに撚り合わされたヤーンの束として前記ヤーンの少なくともいくつかを形成することをさらに備える、請求項１３に記載の方法。
【請求項２２】
前記束の少なくともいくつかを、全体的に、ヒートセット可能なヤーンで形成することをさらに備える、請求項２１に記載の方法。
【請求項２３】
前記束の少なくともいくつかを、非ヒートセット可能なヤーン含んで形成することをさらに備える、請求項２１に記載の方法。
【請求項２４】
１つの束のループを別の束のループと相互連結させて、それらの束を互いに相互固定することをさらに備える、請求項２１に記載の方法。
【発明の詳細な説明】
【技術分野】
【０００１】
関連出願への相互参照
本出願は、２０１５年１０月２９日に出願された米国仮出願連続番号第６２／２４８，１７８号および２０１６年１０月２８日に出願された米国実用新案出願連続番号第１５／３３７，４７２号の利益を主張するものであり、それらの全体をここに引用により援用する。
【０００２】
発明の背景
１．技術分野
本発明は、一般的にテキスタイルスリーブに関し、より詳細には、自己巻付編組テキスタイルスリーブに関する。
【背景技術】
【０００３】
２．関連技術
編成、織製もしくは編組スリーブでのように、細長い部材をさまざまな環境条件および影響に対してテキスタイルスリーブで保護するか、または結束および引き回し目的で細長い部材を単にテキスタイルスリーブに入れることが知られている。編組スリーブの場合、編組壁は、一般に、「閉鎖」壁と呼ばれることがある周方向に連続した継ぎ目のない壁として編組されている。閉鎖された編組壁構造の１つの既知の利点は、壁の両端を手で押して圧縮された状態で物理的に保持することによって壁を細長い部材上で滑りやすくするように、壁が周方向に拡張できるということである。両端を互いに向かって押し、壁を軸方向に圧縮した状態で手で保持することにより、編組壁は、増加した直径および低減された長さを呈する。増加した直径の状態にあるとき、壁は細長い部材の上に容易に配置することができる。次に、スリーブが細長い部材の上に設置された後、設置者は壁を解放することができ、両端は自動的に互いから軸方向に離れるように撥ね、それにより、周方向に低減された直径および増加した長さを呈する。
【０００４】
編組壁の直径を増減させる前述の能力は、織製スリーブのようないくつかの他の公知のタイプのスリーブ構造を超える利点を有するが、潜在的な欠点がある。すなわち、編組スリーブの直径を手で増加させる能力は、設置中に連続して外部から加えられる圧縮力を加えることを必要とし、それは困難であると分かり、したがって、設置者が細長い部材の上にスリーブを容易に設置する能力を複雑にし得る。編組スリーブが比較的長い場合、編組スリーブの設置をさらに複雑にする。比較的長いスリーブでは、スリーブをその長さに沿って折り曲げたり座屈させたりすることなく両端を互い向かってに軸方向に圧縮する必要があり、困難になる。さらに、スリーブに、その長くされた、縮径された状態を回復させるよう、壁を解放すると、壁は、交絡されたヤーンとヤーンとの間の摩擦により生じるパターン保持現象のために、その軸方向に圧縮された構成に向かって少なくとも部分的に撥ね戻る。したがって、スリーブの有効長さが意図せず減少する可能性がある。
【０００５】
スリーブが保護されるべき細長い部材の周りに容易に配置されるように、互いに離れるように分離可能な、長さ方向に延びる対向する自由縁部を有するスリーブを構成することがさらに知られている。しかしながら、特にスリーブが比較的長い場合、細長い部材の周りにスリーブを組み付ける際に依然として課題が生じる可能性がある。
【発明の概要】
【課題を解決するための手段】
【０００６】
この発明の１つの態様に従うと、自己巻付保護テキスタイルスリーブが提供される。スリーブは、対向する自由縁部が両端間を長さ方向に延びる、編組された管状壁を含む。壁は、中心長手方向軸をほぼ横断する断面で見て、減少した長さで増加した断面積の第１の状態と、増加した長さで減少した断面積の第２の状態とを有する。壁は、さらに、壁に付勢を付与する編組されたヒートセットヤーンを含み、付勢は、壁を管状構成に自己巻付けさせ、外部からかけられる力がない場合に実質的に第１および第２の状態にとどめさせる。
【０００７】
この発明の１つの態様に従うと、ヒートセットヤーンの少なくともいくつかは束状で編組され、束は螺旋状の関係で互いに撚り合わされた複数のヤーンを含む。
【０００８】
本発明の別の態様によれば、少なくともいくつかの束は、別の束のループと相互連結されたループを有する。
【０００９】
本発明の別の態様によれば、撚られたヤーンの束の少なくともいくつかは全体的にヒートセットヤーンで形成されることができる。
【００１０】
本発明の別の態様によれば、撚られたヤーンの束の少なくともいくつかは、非ヒートセット可能なヤーンおよびヒートセット可能なヤーンを含むことができる。
【００１１】
本発明の別の態様によれば、撚られたヤーンの束の少なくともいくつかは、全体的に、非ヒートセット可能なヤーンで形成することができる。
【００１２】
本発明の別の態様によれば、壁は、撚られたヤーンの束の少なくともいくつかのループを通って交絡された非ヒートセット可能なヤーンを含むことができる。
【００１３】
本発明の別の態様によれば、壁は、撚られたヤーンの束の少なくともいくつかのループを通って交絡された複数の非ヒートセット可能なヤーンを含むことができる。
【００１４】
本発明の別の態様によれば、撚られたヤーンの束の少なくともいくつかのループを通って交絡された非ヒートセット可能なヤーンは、並置関係で配置された複数の非ヒートセット可能なヤーンを含む束として提供することができ、束は互いとともに共通のループを通って延びている。
【００１５】
本発明の別の態様によれば、壁は、単一の螺旋方向にのみ編組されたヒートセット可能な撚られたヤーンの束を含むことができ、それによって、スリーブの材料含量の重量およびコストを低減する。
【００１６】
本発明の別の態様によれば、ヤーンの少なくともいくつかは、ヒートセットされたモノフィラメントヤーンとともに撚られるかまたは供される非ヒートセット可能なマルチフィラメントヤーンを含むことができ、それにより、壁によって提供されるカバレージ保護を高める。
【００１７】
本発明の別の態様によれば、壁は、ヒートセットヤーンによって付与される付勢を克服すると、第１の状態と第２の状態との間で弾かれてとどまることができる。
【００１８】
本発明の別の態様によれば、壁は、長さが減少した第１の状態における第１の直径と、長さが増加した第２の状態における第２の直径とを有することができ、第１の直径は第２の直径より大きい。
【００１９】
本発明の別の態様によれば、壁は非円形の外周部を有することができ、それによって、壁が、同様に成形された非円形の構成要素に適合することを可能にする。
【００２０】
本発明の別の態様によれば、対向する自由縁部は、ヒートセットヤーンを介して互いに重なる関係に付勢されることができる。
【００２１】
本発明の別の態様によれば、自己巻付テキスタイルスリーブを構築する方法が提供される。本方法は、複数のヤーンを互いに編組して、中心長手方向軸に沿って長さ方向に延びる壁を形成することを含む。本方法は、さらに、ヤーンの少なくともいくつかをヒートセット可能なヤーンであるとして、および壁を形成するとして、提供することを含み、壁は、減少した長さで増加した断面積の第１の状態と、増加した長さで減少した断面積の第２の状態との間で移動可能である。本方法はさらに、壁を、対向する自由縁部が壁の両端間において長さ方向に延びる状態で形成することを含む。さらに、本方法は、壁が第１の状態および第２の状態のうちの一方にある間にヒートセット可能なヤーンをヒートセットして、ヒートセットヤーンを介して壁に付勢を与えることを含み、付勢は、壁を管状構成状態に自己巻付けさせ、第１および第２の状態の各々に、壁を第１または第２の状態の他方に移動させる外部からかけられる軸方向の力がない場合に、とどめさせる。
【００２２】
本発明の別の態様によれば、本方法は、レース編組機を使用して壁を編組することをさらに含むことができる。
【００２３】
本発明の別の態様によれば、本方法は、さらに、壁を継ぎ目のない周方向に連続する壁として編組することを含み、次いで、壁を長さ方向に切断して対向する自由縁部を形成することを含むことができる。
【００２４】
本発明の別の態様によれば、本方法は、継ぎ目のない周方向に連続する壁に対して切断操作を行う前にヒートセットすることを実施することをさらに含むことができる。
【００２５】
本発明の別の態様によれば、本方法は、継ぎ目のない周方向に連続する壁に対して切断操作を行った後にヒートセットすることを実施することをさらに含むことができる。
【００２６】
本発明の別の態様によれば、本方法は、さらに、壁を、最初に、対向する自由縁部を有する実質的に平坦な層として編組することを含むことができる。
【００２７】
本発明の別の態様によれば、本方法はさらに、編組された平坦な層をマンドレルの周りに巻付けること、および次いでヒートセット操作を行うことを含むことができる。
【００２８】
本発明の別の態様によれば、本方法は、ヤーンの少なくともいくつかを撚り合わせることによってヤーンの束を形成すること、およびそれらの束を互いと編組することをさらに含むことができる。
【００２９】
本発明の別の態様によれば、本方法は、束の少なくともいくつかにループを形成すること、および束のうちの１つからのループを束のうちの別の束のループと相互連結して、それらの束を効果的に固定することとを含むことができ、それによって、外部から加えられる軸方向の力がない場合に、管状壁を第１および第２の状態の各々にとどまるようにする付勢の効果を高めることができる。
【００３０】
本発明の別の態様によれば、本方法は、ヒートセット可能なヤーンを含む束の少なくともいくつかを形成することをさらに含むことができる。
【００３１】
本発明の別の態様によれば、本方法は、束の少なくともいくつかを、全体的に、ヒートセット可能なヤーンで形成することをさらに含むことができる。
【００３２】
本発明の別の態様によれば、本方法は、壁の熱形状保持能力を高めるために、撚られたヤーンのすべての束を、全体的に、ヒートセット可能なヤーンで形成することをさらに含むことができる。
【００３３】
本発明の別の態様によれば、本方法は、壁の熱形状保持能力を最適化するために、壁全体をヒートセット可能なヤーンで形成することをさらに含むことができる。
【００３４】
本発明の別の態様によれば、本方法は、壁によって提供されるカバレージ保護を向上させるために、非ヒートセット可能なヤーンを、撚られたヤーンの束の少なくともいくつかと交絡させることをさらに含むことができる。
【００３５】
本発明の別の態様によれば、本方法は、壁によって提供されるカバレージ保護を向上させるために、非ヒートセット可能なヤーンを、撚られたヤーンの束の少なくともいくつかのループの少なくともいくつかを通して交絡させることをさらに含むことができる。
【００３６】
本発明の別の態様によれば、本方法は、スリーブのカバレージ保護を向上させるために、束の少なくともいくつかを、非ヒートセット可能なヤーンを含んで形成することをさらに含むことができる。
【００３７】
本発明の別の態様によれば、本方法は、スリーブのカバレージ保護を向上させるために、束の少なくともいくつかを、互いに対して並置され互いと撚り合されていない関係で配置された複数の非ヒートセット可能なヤーンを含んで、形成することをさらに含むことができる。
【００３８】
本発明の別の態様によれば、本方法は、スリーブのカバレージ保護を向上させるために、非ヒートセット可能なヤーンの束を、ヤーンが互いと並置の関係において他の撚られたヤーンの束の共通のループを通して配置される状態で、延在させることをさらに含むことができる。
【００３９】
本発明の別の態様によれば、本方法は、壁によって提供されるカバレージ保護を向上させるために、束の少なくともいくつかを、非ヒートセット可能なヤーンと撚られたヒートセット可能なヤーンを含んだ状態で、形成することをさらに含むことができる。
【００４０】
これらおよび他の局面、この発明の特徴および利点は、現在好ましい実施の形態および最良のモードの以下の詳細な記載、特許請求の範囲および添付の図面と関連して考慮されたときにより容易に十分に理解されるようになる。
【図面の簡単な説明】
【００４１】
【図１】保護されるべき細長い部材の周りに配置されて示された、本発明の一態様に従って構成された自己巻付テキスタイルスリーブの概略斜視図である。
【図２Ａ】平らにされた、巻き付けられていない、軸方向に圧縮された、減少した長さの第１の状態で示された、図１の自己巻付テキスタイルスリーブの平面図である。
【図２Ｂ】平らにされた、巻き付けられていない、軸方向に拡張された、増加した長さの第２の状態で示された、図１の自己巻付テキスタイルスリーブの平面図である。
【図３】軸方向に圧縮された、低減された長さの第１の状態でマンドレルの周りに巻付けられて示される、本発明の一実施形態に従って構成された、図１の自己巻付テキスタイルスリーブの概略側面図である。
【図４Ａ】軸方向に圧縮された、低減された長さの第１の状態にある間に、保護されるべき細長い部材の周りに配置されて示される、図１の自己巻付テキスタイルスリーブの概略側面図である。
【図４Ｂ】軸方向に伸長され、長さが増加した第２の状態で、保護されるべき細長い部材の周りに配置されて示されている、図１の自己巻付テキスタイルスリーブの概略側面図である。
【図５】本発明の一態様に従って構成された図１の自己巻付テキスタイルスリーブの壁の拡大断片図である。
【図６Ａ】中央に位置するコネクタを有する細長い部材の周りに配置された自己巻付テキスタイルスリーブを示す、図４Ｂと同様の図である。
【図６Ｂ】複数の中間に位置するコネクタを有する細長い部材の周りに配置された自己巻付テキスタイルスリーブを示す、図６Ａと同様の図である。
【図７】保護されるべき細長い部材の周りに配置されて示される、本発明の別の態様に従って構成された自己巻付テキスタイルスリーブを示す、図４Ｂと同様の図である。
【図８Ａ】本発明の別の態様に従って構成された自己巻付テキスタイルスリーブの壁の拡大断片図を示す、図５と同様の図である。
【図８Ｂ】本発明のさらに別の態様に従って構成された自己巻付テキスタイルスリーブの壁の拡大断片図を示す、図５と同様の図である。
【図８Ｃ】本発明のさらに別の態様に従って構成された自己巻付テキスタイルスリーブの壁の拡大断片図を示す、図５と同様の図である。
【図８Ｄ】本発明のさらに別の態様に従って構成された自己巻付テキスタイルスリーブの壁の拡大断片図を示す、図５と同様の図である。
【図８Ｅ】本発明のさらに別の態様に従って構成された自己巻付テキスタイルスリーブの壁の拡大断片図を示す、図５と同様の図である。
【図８Ｆ】本発明のさらに別の態様に従って構成された自己巻付テキスタイルスリーブの壁の拡大断片図を示す、図５と同様の図である。
【図８Ｇ】本発明のさらに別の態様に従って構成された自己巻付テキスタイルスリーブの壁の拡大断片図を示す、図５と同様の図である。
【図８Ｈ】本発明のさらに別の態様に従って構成された自己巻付テキスタイルスリーブの壁の拡大断片図を示す、図５と同様の図である。
【図８Ｉ】本発明のさらに別の態様に従って構成された自己巻付テキスタイルスリーブの壁の拡大断片図を示す、図５と同様の図である。
【図９】本発明のさらに別の態様に従って構成された自己巻付テキスタイルスリーブの断面図である。
【発明を実施するための形態】
【００４２】
好ましい実施形態の詳細な説明
図面をより詳細に参照すると、図１ならびに図４Ａおよび図４Ｂは、本発明の１つの態様に従って構成された編組された自己巻付テキスタイルスリーブ（以下、スリーブ１０と呼ぶ）を示す。スリーブ１０は、開放両端部１６，１８間において中心長手方向軸１４に対してほぼ平行な関係で長さ方向に延びる対向する自由縁部１３，１５を有する、編組された周方向に不連続な壁１２を有する。壁１２は、中心長手方向軸１４を概ね横断する横断面で見たときに、減少した長さＬ１ならびに増加した直径Ｄ１および／または増加した断面積を有する、組付け前の第１の状態を達成するよう、軸方向に圧縮可能であり（図４Ａ）、増加した長さＬ２ならびに減少した直径Ｄ２および／または減少した断面積を有する、完全に組付けられた第２の状態を達成するよう、軸方向に伸長可能である（図１および図４Ｂ）。壁１２は、ヒートセット可能な編組ヤーン２０を含み、それは、ヒートセットされると、ヒートセットヤーン２０が含まれる壁１２の少なくとも一部を、外部から加えられる何らかの力がない場合に、第１の状態および第２の状態のうちの選択された１つにとどまらせるかまたは実質的にとどまらせる。外部から加えられる力は、付勢を克服するよう選択的に加えられ、それにより、壁１２を所望に応じて第１の状態と第２の状態との間で軸方向に伸縮させる。ヒートセットヤーン２０は、壁１２に付勢を付与し、外部から加えられた力を介して付勢を克服すると、壁１２は、別の適切な外力によってさらなる作用を受けて異なる安定した構成に再び移動させられるまで、第１または第２の状態のいずれにせよ、その新たに選択された状態を達成し、壁１２は、さらに別の適切な外力が作用するまで、実質的にその新たな安定した構成にとどまる。したがって、壁１２は、双安定の、自立的に軸方向に圧縮された第１の状態および軸方向に伸長した第２状態を有するが、壁１２は、両端１６，１８間において所望のように第１の状態と第２の状態との間で壁１２の複数の異なる領域を操作することができる結果として、同数の安定な構成を呈するよう、容易に操作できることが認識されるべきである。
【００４３】
壁１２は、好ましくは、レース編組機上で、周方向に連続する管として、または平坦な層として編組されるが、他の編組機構も本明細書では企図される。周方向に連続した管として編組される場合には、管は、その後、たとえば、限定を伴わずに熱いナイフ、ブレードまたはワイヤなどを介して長さ方向に切断されることにより、中心長手方向軸１４に概ね平行に延びる、対向する、長さ方向に延びる縁部１３，１５を形成する。長さ方向切断プロセスは、管状壁１２を完成したスリーブ１０の所望の長さに切断した後に行うことができ、または代替的に、管状壁１２を長さ方向に切断して対向する縁部１３、１５を形成する前に管状壁１２を長さ方向に切断することができる。さらに、周方向に連続する管状壁１２がいつ長さ方向に切断されるかとは無関係に、壁１２は、壁１２を長さ方向に切断する前または壁１２を所望の長さに切断した後に、減少した長さＬ１ならびに増加した直径Ｄ１および／または増加した断面積の第１の状態にある間に、ヒートセットすることができる。そうではなく、平坦な層として形成される場合には、平坦な層はその後、マンドレル１７（図３）の周りに巻付けられ、対向する縁部１３，１５は互いに向かって巻き付けられ、より好ましくは対向する縁部１３，１５は互いに重なる関係にされ、好ましくは減少した長さＬ１ならびに増加した直径Ｄ１および／または増加した断面積の第１の状態にある間にそうされ、次いで、壁１２内のヒートセット可能なヤーンをマンドレル１７の周りでヒートセットすることができる。
【００４４】
本発明の一態様によれば、ヤーンは、ヒートセット可能なヤーンから、全体的に提供されても、または部分的にのみ提供されても、少なくとも部分的に、ヤーンの束２１として編組することができ、束２１は、Ｓ方向に一方のヤーンとＺ方向に他方のヤーンとを互いに撚り合わせることができる複数のヤーンの端部を含み、それによりヤーンの別々の束２１を単一のヤーンとして編組することができる。図１および図４Ａ〜図４Ｂに示す実施形態は、少なくとも部分的に、個々の束２１が互いに編組された状態で構成することができ、各束２１は、複数の、ヤーンの対として示される（図５）、互いに撚り合わされたヤーンを含む。意図される用途に所望される場合、ヤーンの２つより多い端部を互いに束ねることができることを認識すべきである。撚られたヤーンの個々の束２１は、単一のＳもしくはＺ方向に、またはＳおよびＺの両方の方向に編組することができる（Ｓは第１の螺旋方向を表し、Ｚは反対の螺旋方向を表す）。束２１は、それぞれの撚られたヤーンの対２１の各々内に形成された相互に連結された周方向に閉じた開口部またはループ２２によって交差位置で相互に連結されるように示されており、したがって、束ねられたヤーン２１の個々の対は、それらが互いから分離できないように効果的に相互に連結され、一緒に固定される。ループ２２の相互連結は、ヒートセットヤーン２０に与えられる付勢の効果を非常に大きくして、壁１２を第１および第２の双安定状態の間で移動させ、また、拡大された開口部が、相対的にシフトされたヤーン間に形成されることを防止するようにさらに作用しながら、壁１２または壁１２の一部を選択された状態に維持することを容易にする。しかしながら、ヤーンは一緒に連結されることなく編組され得ることが本明細書において企図され、ただし、上述の安定状態ははるかに顕著ではない可能性があることが理解される。
【００４５】
上述したように、壁１２を、周方向に連続する継ぎ目のない管として、または材料の平坦な層としてかどうかにかかわらず、編組すると、たとえば、限定ではなく、約０．１〜０．４０ｍｍの直径を有するナイロン、ポリフェニレンスルフィド（ＰＰＳ）またはポリエチレンテレフタレート（ＰＥＴ）などからのヒートセット可能なモノフィラメントおよび／またはヒートセット可能なマルチフィラメントとして提供されることができるヒートセット可能なヤーン２０は、次いで、壁１２が、たとえば、完全にまたは少なくとも部分的に軸方向に圧縮され、長さが低減された状態など（図３）、選択された構成にある間に、ヒートセットされる。上述したように、継ぎ目のない管状壁１２として構成される場合には、対向する縁部１３，１５を形成するよう壁１２を長さ方向に切断する前または後にヒートセットプロセスを実施することができるが、壁１２を切断した後に実施する場合、対向する縁部１３，１５は、平坦な層について上述したのと同様の重なる関係に巻き付けられ得、それにより、ヒートセット可能なヤーン２０をヒートセットした後に、対向する縁部１３，１５の強化された重なりを提供するように作用して縁部１３，１５を周方向に閉じた構成に付勢し、それにより壁１２を自己巻付性にする。継ぎ目のない周方向に管状の壁として形成される場合、長さ方向の切断プロセスの結果、対向する縁部１３，１５は切断されたヤーンを有することをさらに注記すべきであるが、加熱されたブレードまたはワイヤで切断される場合、ヤーンは切断された縁部１３，１５で互いに融着し、それにより、ほつれを防止するように作用し得ることが企図される。そうではなく、平坦な壁１２として編組される場合、ヤーンは、縁部１３，１５の一方または両方において、ＳからＺへ、および／またはその逆に、螺旋方向を逆転させるように編組することができ、それによって、強化されたほつれに強い抵抗性の完全性および平滑性を有する縁部１３，１５を形成することができる。
【００４６】
低減された長さＬ１、増加した断面積の、第１の状態と、増加した長さＬ２、減少した断面積の、第２の状態との間の最大のばね付勢のために、壁１２全体は、例示として、限定なしに、図５に示されているようなヒートセット可能なモノフィラメント２０の撚り束から形成され得るが、たとえば、強化されたカバレージ、熱的、音響的または電磁的干渉（ＥＭＩ）のような、磨耗以外の追加の種類の保護を提供することが所望される場合、ヤーンの少なくともいくつかは、非ヒートセット可能なヤーン２４（図７）として提供することができ、たとえば、鉱物繊維、たとえば、玄武岩、シリカ、セラミックもしくは繊維ガラスなど、または可撓性のある導電性フィラメント、たとえばワイヤ、金属被覆されたポリマーヤーンフィラメントからなど、または別のヤーンフィラメントとともに供されるかもしくはそれと撚られる導電性フィラメントもしくは非導電性フィラメント、たとえばヒートセット可能もしくは非ヒートセット可能なモノフィラメントおよび／もしくはマルチフィラメントを含むハイブリッドヤーンであってもよい。このように、個々の撚り束２１は、充分なヒートセット可能なヤーン２０が壁１２をその第１および第２の位置に維持するのに必要な付勢を与えるよう含まれる限り、所望の数のヤーン２０のヒートセット可能な端部と、所望の数のヤーン２４の非ヒートセット可能な端部とを含み得る。壁１２が、非ヒートセット可能なヤーン２４の端部の数に対して、相対的に低い割合の数のヒートセット可能なヤーン２０の端部を含む場合、たとえば限定としてではなく５０％未満の含量を含む場合、個々のヒートセット可能なヤーン２０の直径を増加でき、それにより、直径範囲の上限にあることができ、ヒートセット可能なヤーン２０を直径範囲の下限に向かって与えた場合と比較して、増加した付勢を与えることができる。
【００４７】
上述したように、ヒートセット可能なヤーン２０をヒートセットする前に、壁１２の両端１６，１８は、壁１２が、その、径方向に拡張された、増加した直径Ｄ１および／または増加した断面積（すなわち、中心長手方向軸１４を概ね横断する横断面で見て、壁１２によって境界付けられた領域）で、低減された長さＬ１の、第１の状態にされるまで、互いに向かって軸方向に圧縮され、次いで、適切な程度の熱が、ヒートセット可能なヤーン２０に与えられ、それによってヒートセット可能なヤーン２０をヒートセットさせる。（対向する縁部１３，１５が互いに重なる関係にある間にヒートセットされる場合に、）ヒートセットされると、その対向する縁部１３，１５が互いに重なる関係で付勢されて、壁１２を自己巻付壁にすることとは別に、壁１２は、軸方向に延長された長さＬ２、減少した直径Ｄ２および／もしくは減少した断面積を有する、選択された使用中の第２の状態構成において（図１および図４）、または軸方向に低減された長さＬ１、径方向に拡張された直径Ｄ１および/もしくは増加した断面積（図４Ａ）を有する、組付け前の第１の状態構成において、壁１２を維持しようとする、ヒートセットヤーン２０によって付与される付勢を達成する。スリーブ１０がどの状態にあるかに関係なく、スリーブ１０は、ヒートセットヤーン２０によって加えられる付勢を克服するのに十分な外部から加えられる軸方向の力が加えられるまで、その状態のままである。スリーブ１０の概ね中心長手方向軸１４の方向に沿って適切な力が壁１２に加えられると、軸方向の力の作用を受ける壁１２の部分またはセクションは、弾かれ、撥ねて、壁１２を一方の状態から他方の状態に移動させ、壁１２は、第１の状態から第２の状態に向かうのであれ、またはその逆であれ、適切な外部の軸方向に加えられる力が再び作用するまで、その選択された状態のままである。このように、壁１２の全長は、減少した長さの第１の状態もしくは増加した長さの第２の状態の一方にされ得、または壁１２の任意の数の個別の長さ方向に延びる部分もしくはセグメントを操作して前述の第１の状態と第２の状態との間において所望のように変化できることが認識されるべきである。したがって、壁１２の、軸方向に延びる、互いに隣接するセグメントは、所望の場合には、互いに異なる第１および第２の状態の１つにとどまるよう付勢され得、それによって、壁１２はその長さに沿って変動する外形を呈することができる。
【００４８】
ヒートセットすることに先立って、スリーブの壁１２は、軸方向に、低減された長さＬ１の、第１の状態に圧縮される間に、壁１２の外周部を円形以外の形状にすることができる。したがって、外周部は、中心長手方向軸１４に対して略横断した横断面で見て非円形形状に形成することができる。非円形形状は、正方形、長方形、三角形、または任意の多角形、非円形形状など、特定の最終用途に有益であり得るような任意の所望の形状とすることができる。次いで、壁１２を低減した長さＬ１の第１の状態に形成し、壁１２の外周部を所望の断面形状に構成すると、壁１２に熱を加えてヒートセットをヒートセット可能なヤーン２０に付与することができ、それによって、壁１２に双安定機能を提供すると共に、外周部を、横断面で見て、円形であれ、または非円形であれ、選択された形状に形成することができる（図９）。
【００４９】
ワイヤハーネス、導管その他などのような、束ねられ保護されるべき細長い部材２３の周りのスリーブ１０の組付け中において、壁１２は、その中心長手方向軸１４に沿って軸方向に圧縮されて完全にまたは部分的に圧縮された第１状態にされることができ、壁１２を異なる構成に移動させるのに十分な外部からの力がない場合、壁１２は第１の状態にとどまるか、または実質的に第１の状態にとどまる。壁１２が約２フィート以上といったように比較的長い場合、壁１２の全体が少なくとも部分的に軸方向に圧縮されるまで、長さ方向に延びる別個の領域を軸方向に圧縮することができ、それによって、壁１２の全長を、第１の、軸方向に圧縮された状態に変換することを容易にする。このように、スリーブ１０は、増加した直径Ｄ１および／または増加した断面積を呈し、それにより、対向する縁部１３，１５を互いから離れるように広げることによって、壁１２をより容易に開き、保護すべき細長い部材２３の周り、およびそれに取り付けられる任意の拡大されたコネクタまたは取付具２６の周りに配置することができる。次いで、径方向に拡張した壁１２を細長い部材２３の周りに配置すると、両端部１６，１８の少なくとも一方を他方から離れるように軸方向に引っ張るなどして、軸方向に加えられる引っ張り力を壁１２に加えることができ、それによって、壁１２を、図４Ｂに概略的に示されるように、例示として、限定を伴わずに、軸方向に延在させて、径方向に拡張された、長さの低減された第１の状態から、径方向に収縮された、長さの増加した第２の状態に、弾かせるかまたは撥ねさせる。壁１２のどの部分も、望むならば、他の部分を、第１の、軸方向に圧縮され、径方向に拡張された状態に残しながら、所望に応じて、低減された長さ状態Ｌ１から長くされ得ることが認識されるべきである。このように、任意の所望の軸方向長さにわたって延びるように編組することができる壁１２は、保護すべき細長い部材２３の所望の長さにわたって軸方向に延ばすことができる。壁１２は、増加した長さＬ２、減少した直径Ｄ２、および／または減少した断面積の、第２の状態に移動される状態では、壁１２は、たとえばワイヤハーネスなどの細長い部材２３を所望の外皮に収容することができ、細長い部材２３を所望に応じてきちんと結束および引き回すことができる。さらに、編組壁１２が細長い部材２３を束ねるように作用することに加えて、特に複数の個々の露出したワイヤを有するワイヤハーネスの場合、壁１２は、特に、ヒートセット可能なヤーン２０がモノフィラメントとして提供される場合には、細長い部材２３を磨耗から保護するよう作用する。意図される用途に必要なカバレージを提供するよう、必要に応じて１インチ当たりのピック数を提供できることが認識されるべきである。そのため、必要なカバレージがより少ない場合は、１インチあたりのピック数を減らすことができ、カバレージがさらに必要な場合は、１インチあたりのピック数を増やすことができる。さらに、インチ当たりのピック数は、意図される用途に望まれるように、壁１２の長さにわたって変動させることができる。カバレージがより小さいと、壁１２を通して見ることの恩恵が得られ、それによって、例として、そして限定なしに、別個のワイヤの個々の色のような、スリーブ内の内容を見ることができる。そうではなく、増加したカバレージが提供される場合、汚染の侵入に対する追加保護または強化された音響および／もしくは熱的保護が与えられ得る。
【００５０】
図６Ａにおいて、スリーブ１０は、両端部コネクタ２６間において中央に位置するコネクタ２６を有する細長い部材２３の周りに延びるように示されている。スリーブ１０の長さの一部に亘って第１の状態で局所的に拡張されたままであるスリーブ１０の能力は、壁１２が中央コネクタ２６を収容することを可能にし、スリーブ１０の残りの部分は、組み付けで、容易に、長さ方向に、第２の状態に延ばされ得る。図６Ｂに示すように、スリーブ１０の両端部１６，１８間に、任意の数の、第１の状態の拡張領域および第２の状態の収縮領域を所望のように形成することができることが認識されるべきであり、細長い部材２３は、スリーブ１０内において受けられるべき複数の中間コネクタ２６を含み、それによって、スリーブ１０が、スリーブ１０の長さに沿って細長い部材２３の複数の異なる径方向の寸法および起伏を収容し、それらに適合することを可能にする。
【００５１】
図７には、本発明の別の態様に従って構成された自己巻付テキスタイルスリーブ１１０が示されており、同様の特徴を識別するために、上で使用されたのと同じ参照番号に１００を加えたものが使用されている。スリーブ１１０は、上述したように、ヒートセット可能なヤーン１２０を含む、参照番号１１２で総称的に識別される、編組された巻付可能な壁を有し、ヒートセットされると、壁１１２に付勢を与え、それは、壁１１２を、上述したように、選択された第１および第２の状態にとどめさせ、さらには、対向する縁部１１３，１１５が互いに重ね合わされた関係にある間にヒートセットされる場合には、対向する縁部１１３，１１５を互いに重なる関係にするよう、付勢を付与することができる。したがって、壁１１２を動かす何らかの外部から加えられる力がなければ、壁１１２は第１および第２の状態のうちの選択された状態にとどまる。上述したように、外部から加えられる力を、壁１１２に、その全体または個別の領域において選択的にかけることにより、壁１１２またはその一部を第１および第２の状態のうちの一方から他方へ所望のように移動させることができる。スリーブ１１０の壁１１２は、ヒートセット可能なヤーン１２０と編組される非ヒートセット可能なヤーン１２４をさらに含む。非ヒートセット可能なヤーン１２４は、所望のタイプの保護を提供するために、上述した非ヒートセット可能な材料からのマルチフィラメントヤーンおよび／またはモノフィラメントヤーンとして提供することができる。マルチフィラメントヤーンとして提供される場合には、細長い部材２３を外部のデブリからの汚染から保護するよう強化されたカバレージが提供される。さらに、マルチフィラメントは、スリーブ１１０に対する柔軟性を高め、それによって、隣接する物体に対する壁１１２の摩耗効果を低減する。壁１１２のために複数の編組パターンが企図されており、それらの実施形態は後述する。
【００５２】
図８Ａに示すように、図７のスリーブ１１０の自己巻付壁２１２の一実施形態が示されており、同様の特徴を識別するために、上で使用されたのと同じ参照番号に２００を加えたものが使用されており、簡略化のために壁２１２の拡大断片部分が示されているが、壁２１２の残りの部分は同じであることが理解されるべきである。壁２１２は、非ヒートセット可能なヤーン２２４を含み、それらは、ヒートセット可能なヤーン２２０と撚り合わせられた関係で束ねられて個別の束２２１を形成するように示されており、単一の非ヒートセット可能なヤーン２２４が、単一のヒートセット可能なヤーン２２０と撚り合されるとして示されているが、これは例示であり、限定ではない。個別の束２２１は互いに編組されて壁２１２の全体を形成し、本発明の別の態様に従って、各束のループ２２２の各々は別の束２２１のループ２２２と相互連結されるように示される。このように、束２２１の各々は、ヒートセット可能なヤーン２２０がヒートセットされると付勢を与えることができる一方、各束はまた、非ヒートセット可能なヤーン２２４、たとえば比較的嵩のあるマルチフィラメントなどを含むことにより、より大きなカバレージ保護を与えるという、二重の利点を提供する。
【００５３】
図８Ｂには、図７のスリーブ１１０の自己巻付壁３１２の別の実施形態が示されており、同様の特徴を識別するために、上で使用された同じ参照番号に３００を加えたものが使用されており、壁３１２の拡大された断片部分が簡略化のために示されているが、壁３１２の残りの部分は同じであることが理解されるべきである。壁３１２は、非ヒートセット可能なヤーン３２４を含み、それらは互いと撚り合わされる関係で束ねられて、全体的に、撚られた非ヒートセット可能なヤーンからなる個別の束３２１′を形成し、個別の束３２１′は、ヒートセット可能なヤーン３２０のみからなる束など、ヒートセット可能なヤーン３２０を含む他の束３２１″と編組でき、各束３２１′、３２１″のループ３２２の各々は、本発明の別の態様に従って、他の束３２１′、３２１″のループ３２２と相互連結されるよう示される。非ヒートセット可能なヤーン３２４の撚り束３２１′およびヒートセット可能なヤーン３２０の撚り束３２１″は、Ｓ方向およびＺ方向の各々において互い違いに示されている。
【００５４】
図８Ｃに示すように、図７のスリーブ１１０の自己巻付壁４１２の別の実施形態が示されており、同様の特徴を識別するために、上で使用されたのと同じ参照番号に４００を加えたものが使用されており、壁４１２の拡大された断片部分が簡略化のために示されているが、壁４１２の残りの部分は同じであることが理解されるべきである。壁４１２は、非ヒートセット可能なヤーン４２４のみを含む束４２１′を含み、個別の束４２１′は、ヒートセット可能なヤーン４２０と非ヒートセット可能なヤーン４２４との両方を含む他の束４２１と編組することができ、各束４２０，４２１′のループ４２２の各々は、別の束４２０，４２１′のループ４２２と相互連結されているものとして示されている。この実施形態では、束４２１は、全体的に第１のＳまたはＺ螺旋方向に延びるように示されており、束４２１′は全体的に束４２１に対して反対の第２のＳまたはＺ螺旋方向に延びるように示されている。したがって、ヒートセット可能なヤーン４２０の使用が低減され、それによって、非ヒートセット可能なヤーン４２４によって提供されるカバレージの程度が増し、さらにスリーブ１１０の可撓性の程度が増加する。
【００５５】
図８Ｄに示すように、図７のスリーブ１１０の自己巻付壁５１２の別の実施形態が示されており、同様の特徴を識別するために、上で使用されたのと同じ参照番号に５００を加えたものが使用されており、壁５１２の拡大された断片部分が簡略化のために示されているが、壁５１２の残りの部分は同じであることが理解されるべきである。壁５１２は、図４Ｂに示すスリーブに関して上述したように、ヒートセット可能なヤーン５２０のみを含む撚り束５２１を含み、束５２１は、Ｓ方向およびＺ方向の両方に延びるように示されており、加えて、壁５１２はまた、Ｓ方向およびＺ方向の両方に延びる撚られていない非ヒートセット可能なヤーン５２４を含む。撚られていない非ヒートセット可能なヤーン５２４は、並置されたヤーンの対状態で編組されて示され、各対は、撚り束５２１の共通のループ５２２を通過する。撚られていない非ヒートセット可能なヤーン５２４の各々の編組は、Ｓ方向に延びるヤーン５２４の各々が、Ｓ方向に延びる束５２１間を束５２１と共螺旋状に延び、Ｚ方向に延びるヤーン５２４の上下を交互にうねり、さらに、ループ５２２の領域内において対応するヒートセット可能なヤーン５２０の上下を交互にうねるように、行なわれる。同様に、Ｚ方向に延びるヤーン５２４の各々は、Ｚ方向に延びる束５２１間を束５２１と共螺旋状に延び、Ｓ方向に延びるヤーン５２４の上下を交互にうねり、さらに、ループ５２２の領域内において対応するヒートセット可能なヤーン５２０の上下を交互にうねる。図面に見られるように、各ヤーン５２０，５２４は、１本のヤーンの上にうねり、次いで、次のヤーンの下にうねり、それによって、もちろん、編組であるが、平織に見られるであろうようなパターンに類似した平編組を形成する。非ヒートセット可能なヤーン５２４の存在は、スリーブ１１０に柔軟性、可撓性および増加したカバレージ保護を提供するように機能し、それにより、スリーブ１１０への汚染の侵入に対する保護を強化し、および耐衝撃性を強化する。図示された実施形態では、非ヒートセット可能なヤーン５２４の単一の対が、隣接するヒートセット可能な束５２１間を、Ｓ方向およびＺ方向の両方において、延びる。
【００５６】
図８Ｅに示すように、図７のスリーブ１１０の自己巻付壁６１２の別の実施形態が示されており、同様の特徴を識別するために、上で使用されたのと同じ参照番号に６００を加えたものが使用されており、壁６１２の拡大された断片部分が簡略化のために示されているが、壁６１２の残りの部分は同じであることが理解されるべきである。壁６１２は、構造が壁５１２と同様であるが、撚り束が全体的にヒートセット可能なヤーンで形成されるのではなく、Ｓ方向またはＺ方向の少なくとも一方において延び、Ｓ方向およびＺ方向の両方向に延びるとして示されている撚り束６２１は、ヒートセット可能なヤーン６２０が非ヒートセット可能なヤーン６２４と撚り合わせられて与えられる。それ以外は、壁６１２は、壁５１２について上述したように、撚られていない非ヒートセット可能なヤーン６２４を含む。したがって、壁６１２は、ヒートセット可能なヤーン６２０の存在がわずかに減少し、それによって、ヒートセット時に付与される付勢を小さくし、そして、非ヒートセット可能なヤーン６２４の存在をわずかに増加させ、それによって、壁５１２と比較して、カバレージおよび耐衝撃性を向上させる。
【００５７】
図８Ｆに示すように、図７のスリーブ１１０の自己巻付壁７１２の別の実施形態が示されており、同様の特徴を識別するために、上で使用されたのと同じ参照番号に７００を加えたものが使用されており、壁７１２の拡大された断片部分が簡略化のために示されているが、壁７１２の残りの部分は同じであることが理解されるべきである。壁７１２は、構造が壁５１２と同様であるが、１対の撚られていない非ヒートセット可能なヤーンがヒートセット可能なヤーン７２０の各撚り束７２１間を延びるのではなく、２つの別個の撚られていない非ヒートセット可能なヤーン７２４の対が、ヒートセット可能なヤーン７２０の各撚り束７２１間を延びる。壁５１２と同様に、各ヤーン７２０，７２４は、１本のヤーンの上にうねり、次いで、次のヤーンの下にうねり、それによって、もちろん、編組であるが、平織に見られるであろうようなパターンに類似した平編組を形成する。ヒートセットされる束７２１間において延びる非ヒートセット可能なヤーン７２４の数は、意図される用途の要件に応じて、図示のものとは異なり得ることを認識すべきである。したがって、さらに強化されたカバレージ保護および耐衝撃性が所望される場合には、より多くの非ヒートセット可能なヤーン７２４を含めることができる。
【００５８】
図８Ｇに示すように、図７のスリーブ１１０の自己巻付壁８１２の別の実施形態が示されており、同様の特徴を識別するために、上で使用されたのと同じ参照番号に８００を加えたものが使用されており、壁８１２の拡大された断片部分が簡略化のために示されているが、壁８１２の残りの部分は同じであることが理解されるべきである。壁８１２は、構造が壁６１２と同様であるが、１対の撚られていない非ヒートセット可能なヤーンがヒートセット可能なヤーンおよび非ヒートセット可能なヤーンの各撚り束間を延びるのではなく、２つの別個の撚られていない非ヒートセット可能なヤーン８２４の対が、ヒートセット可能なヤーンおよび非ヒートセット可能なヤーン８２０、８２４の各撚り束８２１間を延びる。壁５１２と同様に、各ヤーン８２０、８２４は、１本のヤーンの上にうねり、次いで、次のヤーンの下にうねり、それによって、もちろん、編組であるが、平織に見られるであろうようなパターンに類似した平編組パターンを形成する。ヒートセットされる束８２１間において延びる非ヒートセット可能なヤーン８２４の数は、意図される用途の要件に応じて、図示のものとは異なり得ることを認識すべきである。したがって、さらに強化されたカバレージ保護および耐衝撃性が所望される場合には、より多くの非ヒートセット可能なヤーン８２４を含めることができる。
【００５９】
図８Ｈに示すように、図７のスリーブ１１０の自己巻付壁９１２の別の実施形態が示されており、同様の特徴を識別するために、上で使用されたのと同じ参照番号に９００を加えたものが使用されており、壁９１２の拡大された断片部分が簡略化のために示されているが、壁９１２の残りの部分は同じであることが理解されるべきである。壁９１２は、ＳまたはＺ螺旋方向の一方のみに延びるヒートセット可能なヤーン９２０の撚り束９２１と、ＳおよびＺ螺旋方向の両方に延びる撚られていない非ヒートセット可能なヤーン９２４とを含む。ヒートセット可能なヤーン９２０とは反対のＳまたはＺ方向に延びる非ヒートセット可能なヤーン９２４は、上述したのと同様に、撚り束９２１のループ９２２を対状態で通って延び、各対の一方の非ヒートセット可能なヤーン９２４は、ループ９２２の一方側の上下を、各対の他方の非ヒートセット可能なヤーン９２４は、対応のループ９２２の対向側の上下を、図示されるように交互に延びる。ヒートセット可能なヤーン９２０と同じＳまたはＺ方向に延び、それによってそれと平行および共螺旋状である非ヒートセット可能なヤーン９２４は、もちろん、編組であるが、平織に見られるであろうように、ヒートセット可能なヤーン９２０を横断して延びるヒートセット可能なヤーン９２０の上下を延びる。図示された実施形態では、合計６つの非ヒートセット可能なヤーンが、近隣の撚り束９２１間を延びて示されているが、その数は、意図される用途のカバレージおよび耐衝撃性の必要性に応じて、より多数またはより少数であり得ることがここにおいて企図される。
【００６０】
図８Ｉには、図７のスリーブ１１０の自己巻付壁１０１２の別の実施形態が示されており、同様の特徴を識別するために、上で使用されたのと同じ参照番号に１０００を加えたものが使用されており、壁１０１２の拡大された断片部分が簡略化のために示されているが、壁１０１２の残りの部分は同じであることが理解されるべきである。壁１０１２は壁９１２に類似しており、Ｓ螺旋方向またはＺ螺旋方向の一方にのみ延びる撚り束１０２１と、Ｓ螺旋方向とＺ螺旋方向との両方に延びている撚られていない非ヒートセット可能なヤーン１０２４とを含む。壁９１２とは対照的に、撚り束１０２１は、ヒートセット可能なヤーン１０２０と撚られた非ヒートセット可能なヤーン１０２４を含む。したがって、壁９１２と比較して、壁１０１２に含まれるヒートセット可能なヤーンの量は少なくなるが、しかしながら、壁９１２と比較して、壁１０１２には、より多くの非ヒートセット可能なヤーン１０２４が含まれる。したがって、壁１０１２は僅かにより多くの可撓性があり、カバレージ保護の面積はより大きいが、第１状態と第２状態との間で撥ねる能力はわずかに低下する。それ以外は、壁１０２１は、壁９１２について上述したものと同じである。
【００６１】
上記の教示に照らして、本発明の多くの修正物および変形物が可能である。さらに、本発明のさまざまな態様に従って構成された編組管状自己巻付壁は、保護部材、結束部材、または新規な物品をも含む多数の用途を呈することができることが、例示として、限定を伴わずに認識されるべきである。したがって、本発明は、具体的に記載されたものとは異なる態様で実施することができ、本発明の範囲は、任意の最終的に許可される特許請求の範囲によって定義されることを理解されたい。
【図１】
2018536101.tif 000003
【図２Ａ】
2018536101.tif 000004
【図２Ｂ】
2018536101.tif 000005
【図３】
2018536101.tif 000006
【図４Ａ】
2018536101.tif 000007
【図４Ｂ】
2018536101.tif 000008
【図５】
2018536101.tif 000009
【図６Ａ】
2018536101.tif 000010
【図６Ｂ】
2018536101.tif 000011
【図７】
2018536101.tif 000012
【図８Ａ】
2018536101.tif 000013
【図８Ｂ】
2018536101.tif 000014
【図８Ｃ】
2018536101.tif 000015
【図８Ｄ】
2018536101.tif 000016
【図８Ｅ】
2018536101.tif 000017
【図８Ｈ】
2018536101.tif 000018
【図８Ｉ】
2018536101.tif 000019
【図９】
2018536101.tif 000020
【国際調査報告】
2018536101.tif 000021
2018536101.tif 000022
2018536101.tif 000023